(57)【要約】【課題】ユーザが行った撮像画像の補正の特徴に基づいて、動画像に対して当該ユーザの好みに合った補正を行うことができる動画像再生装置および動画像再生方法を提供する。【解決手段】本発明の動画像再生装置１００は、動画像を表示する表示部１４０と、被写体を撮像する撮像部１５０と、撮像部１５０によって撮像された撮像画像を補正したときの該補正の特徴を表わす補正情報に基づき、表示部１４０に表示される動画像の補正を行うように制御する制御部１３０と、制御部１３０によって行われた補正の補正情報とを備える。【選択図】図１
2010087593.tif 000002
【特許請求の範囲】
【請求項１】
動画像を表示する表示部と、
被写体を撮像する撮像部と、
該撮像部によって撮像された撮像画像を補正したときの該補正の特徴を表わす補正情報に基づき、前記表示部に表示される動画像の補正を行うように制御する制御部と、
を備えることを特徴とする動画像再生装置。
【請求項２】
前記制御部によって行われた補正の補正情報を複数記憶する記憶部を備え、
前記制御部は、前記記憶部に記憶された複数の補正情報に基づき、前記表示部に表示される動画像の補正を行うように制御することを特徴とする請求項１に記載の動画像再生装置。
【請求項３】
前記撮像部によって撮像された撮像画像と、該撮像画像の補正の補正情報とを記憶する記憶部を備え、
前記制御部は、前記表示部に表示される動画像のフレーム毎の画像の特徴を表わす第１の画像情報と、前記記憶部に記憶された撮像画像の画像の特徴を表わす第２の画像情報とを取得し、前記第１の画像情報と前記第２の画像情報とが略一致した場合、前記第１の画像情報に対応する動画像のフレームの画像を、前記第２の画像情報に対応する前記記憶部に記憶された撮像画像の補正の補正情報に基づいて補正するように制御することを特徴とする請求項１に記載の動画像再生装置。
【請求項４】
前記制御部は、前記表示部に表示される動画像の補正を行うために設定されたパラメータを変更することによって前記動画像の補正を行うように制御するとともに、前記撮像部によって撮像された撮像画像に対して補正を行った場合、前記動画像の補正を行うために設定されたパラメータを変更することによる前記動画像の補正より、前記撮像画像の補正の補正情報に基づく前記動画像の補正の方が優先されるように制御することを特徴とする請求項１に記載の動画像再生装置。
【請求項５】
動画像を表示する表示ステップと、
被写体を撮像する撮像ステップと、
該撮像ステップによって撮像された撮像画像を補正したときの該補正の特徴を表わす補正情報に基づき、前記表示ステップで表示される動画像の補正を行うように制御する制御ステップと、
を含むことを特徴とする動画像再生方法。
【発明の詳細な説明】
【技術分野】
【０００１】
本発明は、ユーザが行った撮像画像の補正の特徴に基づいて、動画像に対して当該ユーザの好みに合った補正を行うようにした動画像再生装置および動画像再生方法に関するものである。
【背景技術】
【０００２】
近年普及した地上波デジタル放送（地デジ；ＩＳＤＢ−Ｔ）に代表されるデジタル放送技術により、テレビ受信機で受信した動画像（映像）を動的に補正して動画像を提供する技術が容易に実現できるようになった。このような従来技術としては、動画像の画質をユーザの好みに補正する技術（例えば特許文献１参照）が提案されている。
一方、被写体をデジタルデータとして取得するデジタルカメラは、撮像した画像の画質をユーザの好みに補正することができる。近年の携帯電話等の電子機器は、機能が多様化し、地上波デジタル放送を受信し、動画像を再生する機能およびデジタルカメラの機能を有するものがある。
【特許文献１】特開２００４−７２１５号公報
【発明の開示】
【発明が解決しようとする課題】
【０００３】
画像の補正において、ユーザの画質の好みは動画像と静止画像で変わらないにもかかわらず、前記電子機器では動画像と静止画像の補正を別々に行わなければならなかった。
【０００４】
本発明は、ユーザが行った撮像画像の補正の特徴に基づいて、動画像に対して当該ユーザの好みに合った補正を行うことができる技術（動画像再生装置および動画像再生方法）を提供することを目的とする。
【課題を解決するための手段】
【０００５】
上記目的を達成するため、本発明の請求項１に係る動画像再生装置は、動画像を表示する表示部と、被写体を撮像する撮像部と、該撮像部によって撮像された撮像画像を補正したときの該補正の特徴を表わす補正情報に基づき、前記表示部に表示される動画像の補正を行うように制御する制御部と、を備えることを特徴とする。
【０００６】
本発明の請求項２に係る動画像再生装置は、前記制御部によって行われた補正の補正情報を複数記憶する記憶部を備え、前記制御部は、前記記憶部に記憶された複数の補正情報に基づき、前記表示部に表示される動画像の補正を行うように制御することを特徴とする。
【０００７】
本発明の請求項３に係る動画像再生装置は、前記撮像部によって撮像された撮像画像と、該撮像画像の補正の補正情報とを記憶する記憶部を備え、前記制御部は、前記表示部に表示される動画像のフレーム毎の画像の特徴を表わす第１の画像情報と、前記記憶部に記憶された撮像画像の画像の特徴を表わす第２の画像情報とを取得し、前記第１の画像情報と前記第２の画像情報とが略一致した場合、前記第１の画像情報に対応する動画像のフレームの画像を、前記第２の画像情報に対応する前記記憶部に記憶された撮像画像の補正の補正情報に基づいて補正するように制御することを特徴とする。
【０００８】
本発明の請求項４に係る動画像再生装置は、前記制御部は、前記表示部に表示される動画像の補正を行うために設定されたパラメータを変更することによって前記動画像の補正を行うように制御するとともに、前記撮像部によって撮像された撮像画像に対して補正を行った場合、前記動画像の補正を行うために設定されたパラメータを変更することによる前記動画像の補正より、前記撮像画像の補正の補正情報に基づく前記動画像の補正の方が優先されるように制御することを特徴とする。
【０００９】
上記目的を達成するため、本発明の請求項５に係る動画像再生方法は、動画像を表示する表示ステップと、被写体を撮像する撮像ステップと、該撮像ステップによって撮像された撮像画像を補正したときの該補正の特徴を表わす補正情報に基づき、前記表示ステップで表示される動画像の補正を行うように制御する制御ステップと、を含むことを特徴とする。
【発明の効果】
【００１０】
本発明によれば、ユーザが行った撮像画像の補正の特徴に基づいて、動画像に対して当該ユーザの好みに合った補正を行うことができる動画像再生装置および動画像再生方法を提供することができるので、ユーザは動画像の補正のためだけに複雑な操作を行う必要がなくなり、補正の必要性を意識することなく好みの動画像を視聴できるようになる。
【発明を実施するための最良の形態】
【００１１】
以下、本発明を実施するための最良の形態を図面に基づき詳細に説明する。
【００１２】
［動画像再生装置の構成］
図１は本発明の動画像再生装置の構成を例示する図である。本発明の動画像再生装置１００は、例えば、撮像部（カメラ）と、撮影画像の補正装置と、動画像コンテンツ（デジタル放送コンテンツ）の再生装置とが一体となって提供されている携帯電話端末として構成されており、アンテナ１１０，チューナ部１２０，制御部１３０，表示部（ディスプレイ）１４０，撮像部（カメラ）１５０，記憶部１６０，操作部１７０等を備えている。制御部１３０は、復調部１８０，多重分離部１９０，動画像復号部２００，動画像補正部２１０，画像情報取得部２２０，撮像画像補正部２３０を備えている。
【００１３】
アンテナ１１０は、放送波を受信し、チューナ部に伝達する。
チューナ部１２０は、放送波をデジタル信号に変換して、復調部１８０に伝達する。
【００１４】
制御部１３０は、（１）撮像部１５０によって撮像された撮像画像を補正したときの該補正の特徴を表わす補正情報に基づき、表示部１４０に表示される動画像の補正を行うように制御し、（２）記憶部１６０に記憶された複数の補正情報に基づき、表示部１４０に表示される動画像の補正を行うように制御し、（３）表示部１４０に表示される動画像のフレーム毎の画像の特徴を表わす第１の画像情報と、記憶部１６０に記憶された撮像画像の画像の特徴を表わす第２の画像情報とを取得し、前記第１の画像情報と前記第２の画像情報とが略一致した場合、前記第１の画像情報に対応する動画像のフレームの画像を、前記第２の画像情報に対応する記憶部１６０に記憶された撮像画像の補正の補正情報に基づいて補正するように制御し、（４）表示部１４０に表示される動画像の補正を行うために設定されたパラメータを変更することによって前記動画像の補正を行うように制御するとともに、撮像部１５０によって撮像された撮像画像に対して補正を行った場合、前記動画像の補正を行うために設定されたパラメータを変更することによる前記動画像の補正より、前記撮像画像の補正の補正情報に基づく前記動画像の補正の方が優先されるように制御する等の、様々な演算処理を行う。
【００１５】
表示部１４０は、制御部１３０によって補正された動画像や文字を出力（表示）する。
撮像部（カメラ）１５０は、被写体の撮像画像（静止画像）を撮像する。
記憶部１６０は、各種処理に必要なデータを一時的に記憶し、制御部１３０によって行われた補正の補正情報を複数記憶するとともに、撮像部１５０によって撮像された撮像画像（第２の画像情報）、表示部１４０に表示される動画像のフレーム毎の画像（第１の画像情報）を記憶する。
操作部１７０は、ユーザ操作に応じた様々な指示を制御部１３０、表示部１４０および撮像部１５０に入力する。
【００１６】
復調部１８０は、デジタル信号をパケットに復調して多重分離部１９０に伝達する。
多重分離部１９０は、多重化されたパケットを、パケットに含まれるＩＤを参照して音声パケットや動画像パケットなど種別毎に分離する。
動画像復号部２００は、動画像パケットから動画像を復元する。
動画像補正部２１０は、記憶部１６０に記憶された補正情報に基づき動画像復号部２００で復号された動画像を自動的に補正する。
画像情報取得部２２０は、表示部１４０に表示される動画像のフレーム毎の画像の特徴を表わす第１の画像情報と、撮像部１５０によって撮像された撮像画像の画像の特徴を表わす第２の画像情報とを取得する。
撮像画像補正部２３０は、撮像部１５０により撮像（取得）された撮像画像に対し、ユーザによる補正を実行し、当該補正の補正情報を取得する。
【００１７】
なお、上記図１に示す構成は、ＩＳＤＢ−Ｔ方式により送信されるワンセグ放送の受信機とする場合を想定したものであるが、ＭｅｄｉａＦＬＯやＤＶＢ−Ｈの受信機とする場合であっても本発明における動画像再生装置の実装要求を満たすことができる。また、各機能を実現できる代替手段がある場合にはそれを用いてもよく、また、個々の機能を端末の外部に設けるようにしてもよい。また、本発明の動画像再生装置および動画像再生方法は、放送コンテンツに限らず、ＩＰストリーミング配信される動画サービス等にも適用可能である。さらに、本発明の動画像再生装置および動画像再生方法は動画像に関するものであるため、音声や字幕など動画像以外の再生のための構成要素は省略しているが、実際の製品においては音声や字幕の再生に必要な構成要素も実装されているものとする。
【００１８】
次に、本発明の動画像再生装置および動画像再生方法において撮像画像（以下、単に画像ともいう）の補正について説明する。本発明の動画像再生装置および動画像再生方法で用いることができる補正としては、「鮮鋭化」、「彩度補正」、「コントラスト補正」、「新たな画像の上書き」がある。
【００１９】
［鮮鋭化（シャープネス）］
鮮鋭化は、画像の輪郭を強調する処理であり、鮮鋭化処理を行った画像はよりくっきりとした印象になる。鮮鋭化は、一般に、式（１）で示す鮮鋭化フィルタを画像に適用することで行う方法が用いられる。
【数１】
2010087593.tif 000003
ここで、ｋは、０より大きな値（例えば０〜１の間の値）であり、ｋの値が大きいほど鮮鋭化効果は大きくなる。
【００２０】
［彩度補正］
彩度補正は、画像の鮮やかさを調整する処理であり、画像をより鮮やかな印象に補正したり、あるいは、画像をより落ち着いた印象に補正したりする。ここで、彩度は、画像に含まれる画素の鮮やかさの強度を表わす成分である。撮像部１５０および動画像復号部２００により得られる画像は、赤（Ｒ）、緑（Ｇ）および青（Ｂ）の３つの成分で構成されており、彩度はＲＧＢ形式のデータを色相（Ｈ）彩度（Ｓ）明度（Ｖ）形式に変換したときの彩度成分の値である。ＲＧＢ形式からＨＳＶ形式への変換は、式（２）により行われ、逆変換は式（３）により行われる。
【数２】
2010087593.tif 000004
【数３】
2010087593.tif 000005
ただし、ＭＡＸ、ＭＩＮはそれぞれＲＧＢ成分の最大値および最小値である。
【００２１】
ここで、ＲＧＢ形式の画像を一旦ＨＳＶ形式の画像に変換し、彩度の成分を変更してからＲＧＢ形式へ逆変換することにより、画像の彩度のみを変更することが可能である。
例えば、入力画像Ｉの座標（ｘ，ｙ）における彩度をＳ（Ｉ（ｘ，ｙ））とすると、出力画像Ｏは式（４）で表わされる。
【数４】
2010087593.tif 000006
式（４）において、出力画像Ｏは、γ＞１のとき入力画像より鮮やかになり、γ＜１のとき入力画像より落ち着いた印象の画像になる。
【００２２】
［コントラスト補正」
コントラスト補正とは、画像のコントラストを変更する処理であり、一般的に、コントラストを強めるとくっきりとした画像になり、コントラストを弱めると落ち着いた印象の画像になる。コントラストの変更には画素の輝度レベルを使用する。
輝度レベルは、ＲＧＢ形式のデータを輝度（Ｙ）色差（Ｃｒ、Ｃｂ）形式に変換したときの輝度成分の値である。ＲＧＢ形式からＹＣｒＣｂ形式への変換は式（５）により行われ、逆変換は式（６）により行われる。
【数５】
2010087593.tif 000007
【数６】
2010087593.tif 000008
ここで、ＲＧＢ形式の画像を一旦ＹＣｒＣｂ形式の画像に変換し、Ｙの値を変更してからＲＧＢ形式へ逆変換することにより、画像の輝度のみを変更することができる。
【００２３】
図２はコントラスト補正前の入力画像Ｉのヒストグラムを例示する図であり、図３はコントラスト補正後の出力画像Ｏのヒストグラムを例示する図である。図２のヒストグラムにおいて、ａ１，ａ２は入力画像度数が１以上である下限と上限とを示している。入力画像Ｉのコントラストを強めるためには、図３のヒストグラムにおいて、ｂ２＞ｂ１となるｂ１およびｂ２を決定し、コントラスト変換関数の式（７）により、出力画像Ｏの座標（ｘ、ｙ）における輝度レベルＹ（Ｏ（ｘ，ｙ））が算出できる。
【数７】
2010087593.tif 000009
ここで、
Ａ＝ａ２−ａ１
Ｂ＝ｂ２−ｂ１        ・・・（８）
とすると、（Ｂ／Ａ）＞１のとき出力画像はよりコントラストが強い印象の画像になり、（Ｂ／Ａ）＜１のとき出力画像はよりコントラストが弱い印象の画像になる。
【００２４】
［新たな画像の上書き］
撮像画像に対して新たな画像を上書きする補正方法の一例としては、「スタンプ貼り付け」がある。
スタンプ貼り付けとは、入力画像に対して決まったパターンの画像を上書きする補正方法である。パターンの形および色は、ユーザが自由に選ぶことができる。スタンプを貼り付ける場所や貼り付ける回数もユーザが自由に決めることができる。
【００２５】
以上説明した４種類の補正を行う際には、ユーザは、図４（ａ）〜（ｄ）に示すようなユーザインタフェースを操作することにより、画像に対して所望の補正を行うことができる。例えば、彩度補正に対応する図４（ａ）の「鮮やかさ補正」を行う場合には、操作部１７０における左方向キーを押下する度に画像がより鮮やかに補正され、右方向キーを押下する度に画像がより控えめに補正される。ここで、ユーザが画像に対する補正が適切だと判断して補正を終了させると、当該補正の特徴を表わす補正情報および撮像画像の画像の特徴を表わす画像情報（第２の画像情報）が処理内容情報として記憶部１６０に記憶される。なお、図４（ａ）〜（ｄ）においては、動画像再生装置の表示部１４０の表示情報の内、画像処理に無関係な情報の記入を省略している。
図５は記憶部１６０に記憶される処理内容情報の１レコードを例示する図である。なお、レコードに収容する情報は図示例に限定されるものではなく、必要に応じて他の情報を追加してもよい。また、記憶部１６０に記憶される画像情報は画像全体の画像情報としても、画像の分割された部分毎の画像情報としてもよい。
【００２６】
［第１実施形態］
図６は本発明の動画像再生装置において実施する第１実施形態の動画像補正処理を示すフローチャートである。本実施形態では、動画像復号部２００により復号された動画像の１フレーム毎に補正として鮮鋭化処理を行う場合を例に挙げて説明する。なお、以降の説明では、補正対象とするフレームを「現フレーム」と呼ぶものとする。また、動画像の補正を行うために、補正情報の補正値がユーザ等によって設定されている場合、当該補正値を「規定値」と呼ぶものとする。また、本実施形態では、記憶部１６０から補正情報を検索する場合、撮像画像補正部２３０によって行われた補正の補正情報を検索するものとする。
【００２７】
まず、図６のステップＳ１００では、現フレームの画像情報を検索する。次にステップＳ１０１では、動画像補正部２１０により、記憶部１６０から鮮鋭化処理の補正情報を検索する。次のステップＳ１０２では、鮮鋭化処理の補正情報が１件以上あったか否かを判定し、１件もなかった場合にはステップＳ１０３に進み、１件以上あった場合にはステップＳ１０４に進む。ステップＳ１０３では、規定値を用いて現フレームの画像情報に対して補正（画像の鮮鋭化処理）を行う。一方、ステップＳ１０４では、該当する補正情報から取得した鮮鋭化処理の補正値の平均値を算出する。例えば式（１）により画像の補正を行った場合には式（１）におけるｋの平均値が算出される。次のステップＳ１０５では、動画像補正部２１０により、算出されたｋの平均値を使用して現フレームの画像情報に対して式（１）を適用して補正（画像の鮮鋭化処理）を行う。これにより、現フレームに対して、ユーザが好む強度で鮮鋭化補正を行うことができる。
【００２８】
［第２実施形態］
図７は本発明の動画像再生装置において実施する第２実施形態の動画像補正処理を示すフローチャートである。本実施形態では、現フレームに対して彩度補正を行う場合を例に挙げて説明する。
【００２９】
まず、図７のステップＳ１１０では、動画像補正部２１０により、記憶部１６０から、現フレームの画像情報（第１の画像情報）である色相の主要値を取得する。色相の主要値は、画像において大きな重みを占める色相の値であり、例えば同じ色相を持つ画素数が最も多い色相の値である。次のステップＳ１１１では、動画像補正部２１０により、記憶部１６０から撮像画像の画像情報（第２の画像情報）のうち色相の主要値が現フレームの色相の主要値と略一致あるいは類似するものを検索する。次のステップＳ１１２では、当該撮像情報から彩度補正の補正情報を検索する。次のステップＳ１１３では、彩度補正の補正情報が１件以上あったか否かを判定し、１件もなかった場合にはステップＳ１１４に進み、１件以上あった場合にはステップＳ１１５に進む。ステップＳ１１４では、規定値を用いて現フレームの画像情報に対して補正（画像の彩度補正）を行う。一方、ステップＳ１１５では、該当する補正情報から取得した彩度補正値の平均値を算出する。例えば式（４）を用いて彩度補正を行った場合には式（４）におけるγの値の平均値が算出される。次のステップＳ１１６では、動画像補正部２１０により、算出されたγの平均値を使用して現フレームの画像情報に対して式（４）を適用して補正（画像の彩度補正）を行う。これにより、現フレームに対してユーザが好む強度で彩度補正を行うことができる。
【００３０】
なお、画像情報の選択において色相の主要値で比較を行ったのは、例えばユーザが「青色は鮮やかな色が好きだが、赤は落ち着いた色のほうが好きだ」といったように色によって鮮やかさの好みが異なるということを考慮したものである。ここで、比較する画像情報として、必要と感じるならば、画像の平均輝度などを含めてもよい。
【００３１】
［第３実施形態］
図８は本発明の動画像再生装置において実施する第３実施形態の動画像補正処理を示すフローチャートである。本実施形態では、現フレームに対してコントラスト補正を行う場合を例に挙げて説明する。
【００３２】
まず、図８のステップＳ１２０では、現フレームの画像情報（この場合、現フレームのヒストグラム）を取得する。次にステップＳ１２１では、動画像補正部２１０により、記憶部１６０からコントラスト補正の補正情報を検索する。次のステップＳ１２２では、コントラスト補正の補正情報が１件以上あったか否かを判定し、１件もなかった場合にはステップＳ１２３に進み、１件以上あった場合にはステップＳ１２４に進む。ステップＳ１２３では、規定値を用いて現フレームの画像情報に対して補正（画像のコントラスト補正）を行う。一方、ステップＳ１２４では、該当する補正情報から取得したコントラスト補正値の平均値を算出する。例えば、コントラスト変換関数の式（７）により画像のコントラスト補正を行った場合には式（８）における（Ｂ／Ａ）の値の平均値が算出され、この値をＭ（Ｂ／Ａ）とする。
【００３３】
次のステップＳ１２５では、規定のコントラスト補正値にコントラスト補正値の平均値を重畳する。重畳処理では、コントラスト補正値の平均値と規定のコントラスト補正値とを用いて、新たな補正値を算出する。本実施形態では、コントラスト補正値の平均値と規定のコントラスト補正値を、新たな補正値とする。
【００３４】
次のステップＳ１２６では、重畳された補正値を使用して式（７）を適用して現フレームに対して補正（画像のコントラスト補正）を行う。具体的には、まず、動画像補正部２１０により、取得した図２に示すヒストグラムに対しａ１，ａ２に相当する値を算出し、次に、図３に例示するヒストグラムにおいてｂ１，ｂ２に相当する値をＭ（Ｂ／Ａ）の値と関連付けて算出する。例えば、以下に示す式（９）のように関連付けを行うと、Ｍ（Ｂ／Ａ）＞１のときにはｂ１，ｂ２はａ１，ａ２の外側に位置する値となり、Ｍ（Ｂ／Ａ）＜１のときにはｂ１，ｂ２はａ１，ａ２の内側に位置する値となる。このようにすると、ユーザのコントラストに対する好みがｂ１，ｂ２の値に反映される。次に、動画像補正部２１０により、現フレームの１つ前のフレームに対して行ったコントラスト補正におけるｂ１に相当するパラメータをｂ１’とすると、コントラスト変動制限パラメータｐに対して｜ｂ１’−ｂ１｜≦ｐとなるようにｂ１を補正する。ここで、ｐは前フレームおよび現フレームで補正量の変動が大きくなり過ぎることを抑制するためのパラメータであり、補正量が大きく変動することにより動画像にチラツキが発生することを防止する効果が得られる。ｂ２に関しても上記と同様にｐによりパラメータ変動の制限を行う。次に、動画像補正部２１０により、算出されたｂ１，ｂ２を使用して式（７）により現フレームの画像情報のコントラスト補正を行う。これにより、現フレームに対してユーザが好む強度でコントラスト補正を行うことができる。
【数８】
2010087593.tif 000010
【００３５】
［第４実施形態］
図９は本発明の動画像再生装置において実施する第４実施形態の動画像補正処理を示すフローチャートである。本実施形態では、現フレームに対して彩度補正を行う場合を例に挙げて説明する。
【００３６】
まず、図９のステップＳ１３０では、現フレームの画像情報を取得する。次にステップＳ１３１では、動画像補正部２１０により、記憶部１６０からスタンプ貼り付けの補正情報（この場合、撮像画像の画像情報（第２の画像情報）の色相の主要値および、スタンプ貼り付けの補正値の情報）を検索する。次のステップＳ１３２では、スタンプ貼り付け補正の補正情報が１件以上あったか否かを判定し、１件もなかった場合にはステップＳ１３３に進み、１件以上あった場合にはステップＳ１３４に進む。ステップＳ１３３では、規定値を用いて現フレームの画像情報に対して補正（画像の彩度補正）を行う。一方、ステップＳ１３４では、該当する補正情報から取得したスタンプ貼り付けの補正値と撮像画像の色相の主要値とを比較して補正値を算出する。次のステップＳ１３５では、算出された補正値の平均値を算出する。
【００３７】
色相は、赤、青、黄、緑等の色の種類に関するものであり、図１０に例示する色相表では、０〜３６０度の角度にそれぞれの色が割り当てられている。２つの色の色相を比較したときに図１０の色相表において角度が近いものは同色系統であり、色同士のコントラストは小さいため、２つの色を並べたときに控えめな印象を受ける。２つの色の色相を比較したときに図１０の色相表において角度が１８０度離れているものは補色関係にあり、色同士のコントラストは大きいため、２つの色を並べたときに鮮やかな印象を受ける。よって、色相の主要値とスタンプの色の色相との差分値が０に近いほどユーザが控えめな色使いを好む傾向にあり、差分値が１８０に近いほどユーザが鮮やかな色使いを好む傾向にある。したがって、色相の差分値および式（４）におけるγの値を、差分値が０に近いほど小さな値に設定し、差分値が１８０に近いほど大きな値に設定することにより、ユーザの好みに合わせた彩度が得られる。
【００３８】
図９において、次のステップＳ１３６では、動画像補正部２１０により、算出された補正値（γの値）の平均値を使用して式（４）を適用して補正（画像の彩度補正）を行う。これにより、現フレームに対してユーザが好む強度で彩度補正を行うことができる。
【００３９】
上述した第１実施形態〜第４実施形態を組み合わせることにより、より良い効果を得ることも可能である。
【００４０】
なお、動画像の補正時までにユーザがまだ画像の補正を行っていない場合には、動画像の補正に必要な補正情報を得ることができないが、このような場合には予め決められて補正値を用いるか、あるいは、補正を行わないものとする。
また、補正情報に何らかの重みを付けて平均値を算出すると、より効果的である。重み付けの例としては、「補正日時が新しいものの重みを大きくする」、「撮像画像のサイズの大きなものの重みを大きくする」、「補正作業に時間をかけたものの重みを大きくする」、「外部メモリにコピーしたり、メールで送信したりした画像の重みを大きくするとともに、活用することなく削除した画像の重みを小さくする」等が挙げられる。
また、鮮鋭化補正、彩度補正、コントラスト補正以外の補正処理であっても、撮像画像（静止画）に対する補正を行うことが可能であり、撮像画像の画像情報および補正情報を定義することが可能な補正処理であれば、本発明を適用することが可能である。
【図面の簡単な説明】
【００４１】
【図１】本発明の動画像再生装置の構成を例示する図である。
【図２】本発明の動画像再生装置におけるコントラスト補正前の入力画像のヒストグラムを例示する図である。
【図３】本発明の動画像再生装置におけるコントラスト補正後の出力画像のヒストグラムを例示する図である。
【図４】（ａ）〜（ｄ）はそれぞれ、本発明の動画像再生装置における４種類の動画像補正処理に用いるユーザインタフェースを例示する図である。
【図５】本発明の動画像再生装置の記憶部に記憶される処理内容情報の１レコードを例示する図である。
【図６】本発明の動画像再生装置において実施する第１実施形態の動画像補正処理を示すフローチャートである。
【図７】本発明の動画像再生装置において実施する第２実施形態の動画像補正処理を示すフローチャートである。
【図８】本発明の動画像再生装置において実施する第３実施形態の動画像補正処理を示すフローチャートである。
【図９】本発明の動画像再生装置において実施する第４実施形態の動画像補正処理を示すフローチャートである。
【図１０】本発明の動画像再生装置において実施する第４実施形態の動画像補正処理に用いる色相表を例示する図である。
【符号の説明】
【００４２】
１００  動画像再生装置
１１０  アンテナ
１２０  チューナ部
１３０  制御部
１４０  表示部（ディスプレイ）
１５０  撮像部（カメラ）
１６０  記憶部
１６５  補正情報蓄積部
１７０  操作部
１８０  復調部
１９０  多重分離部
２００  動画像復号部
２１０  動画像補正部
２２０  画像情報取得部
２３０  撮像画像補正部
【図１】
2010087593.tif 000011
【図２】
2010087593.tif 000012
【図３】
2010087593.tif 000013
【図４】
2010087593.tif 000014
【図５】
2010087593.tif 000015
【図６】
2010087593.tif 000016
【図７】
2010087593.tif 000017
【図８】
2010087593.tif 000018
【図９】
2010087593.tif 000019
【図１０】
2010087593.tif 000020